(57)【要約】【課題】  パイプ内部のモータ部品の組立状態が直ぐに分かり、組立を容易に行なえ、また、モータ部品の交換を簡単に行なうことができる、電動シャッター又は電動ブラインド用チューブモータを提供する。【解決手段】  電動シャッター又は電動ブラインドの回転筒芯の駆動用に使用されるチューブモータ４の外殻体をなすパイプ５が、２つの半割体５ａ、５ｂの一体組立体から構成されている。【選択図】      図２
2005328601.tif 000002
【特許請求の範囲】
【請求項１】
電動シャッター又は電動ブラインドの回転筒芯の駆動用に使用されるチューブモータの
外殻体をなすパイプが、２つの半割体の一体組立体から構成されていることを特徴とする
電動シャッター又は電動ブラインド用チューブモータ。
【請求項２】
前記パイプ内に収容されるモータ本体が、軸方向に分解可能な複数の部品からなり、こ
れらの部品が、予め芯出しされて軸方向に連結されて一体化されていることを特徴とする
請求項１に記載の電動シャッター又は電動ブラインド用チューブモータ。
【発明の詳細な説明】
【技術分野】
【０００１】
本願の発明は、電動シャッター又は電動ブラインド用チューブモータに関し、特にチュ
ーブモータの組立、分解、部品交換の容易化を図った同チューブモータに関する。
【背景技術】
【０００２】
従来、電動シャッターや電動ブラインドの回転筒芯の駆動用に使用されるチューブモー
タは、該チューブモータの外殻体をなすパイプ内に、モータ本体及びその他の部品が収容
されている。このモータ本体は、軸方向に分割された複数の部品からなり、これらの部品
をパイプ内に順次圧入し、芯（真直度）出しをしながら、軸方向に連結して、モータ本体
を組み立てている。このため、パイプは、当初から一体構造の単体部品として製作された
ものが使用されていた。
【０００３】
図６は、このような従来のチューブモータを示している。同図において、０４はチュー
ブモータであり、このチューブモータ０４の外殻体をなすパイプ０５は、長尺の一体構造
の単体部品から構成されている。そして、このパイプ０５内に、モータ本体０６、減速機
をなすギヤユニット０７、その他コンデンサやリミットスイッチ用部品等のモータユニッ
ト０８が収容されている。モータ本体０６は、複数の、通常３個の、軸方向に分解可能な
モータ本体部品０６ａ〜０６ｃから構成されている。
【０００４】
モータ本体部品０６ａ、０６ｃは、モータ本体０６の両側に配置されたブラケット構造
体であり、中央部に配置されたモータ本体部品０６ｂを構成するステータを両側から挟み
付けて固定するとともに、同じくモータ本体部品０６ｂを構成するロータの回転軸を回転
自在に支承している。
【０００５】
ところで、モータ本体部品０６ａ〜０６ｃ、ギヤユニット０７、モータユニット０８を
パイプ０５内に収容して組み付けるのには、従来、次のようにして行なわれていた。
先ず、ギヤユニット０７を矢印Ａの方向よりパイプ０５内の図６において左端側に収容
して固定する。次いで、モータ本体部品０６ａを矢印Ｂの方向よりパイプ０５内に圧入し
て、ギヤユニット０７に連結して固定する。次いで、モータ本体部品０６ｂを矢印Ｂの方
向よりパイプ０５内に圧入して、モータ本体部品０６ａに連結して固定する。次いで、モ
ータ本体部品０６ｃを矢印Ｂの方向よりパイプ０５内に圧入して、モータ本体部品０６ｂ
に連結して固定する。最後に、モータユニット０８を矢印Ｂの方向よりパイプ０５内の図
６において右端側に収容して固定する。
【０００６】
モータ本体部品０６ａ〜０６ｃは、前記のようにしてパイプ０５内に圧入されることに
より、芯（真直度）出しが行なわれて、相互に連結され、モータ本体０６が完成されるよ
うになっている。
【０００７】
しかしながら、このような従来のチューブモータ０４では、一体構造の単体部品からな
るパイプ０５の内部にモータ本体部品０６ａ〜０６ｃ、ギヤユニット０７、モータユニッ
ト０８を組み込むため、パイプ０５の内部の状態が分かりにくく、組立が難しいという問
題があった。また、これらの部品のうちのいずれかの部品を交換するに際しては、全ての
部品を取り出さなければならないという問題があった。
【特許文献１】特開平０９−０８８４５８号公報
【発明の開示】
【発明が解決しようとする課題】
【０００８】
本願の発明は、従来の電動シャッター又は電動ブラインド用チューブモータが有する前
記のような問題点を解決して、パイプ内部のモータ部品の組立状態が直ぐに分かり、組立
を容易に行なえ、また、モータ部品の交換を簡単に行なうことができる、電動シャッター
又は電動ブラインド用チューブモータを提供することを課題とする。
【課題を解決するための手段】
【０００９】
前記のような課題は、本願の各請求項に記載された次のような発明により解決される。
すなわち、その請求項１に記載された発明は、電動シャッター又は電動ブラインドの回
転筒芯の駆動用に使用されるチューブモータの外殻体をなすパイプが、２つの半割体の一
体組立体から構成されていることを特徴とする電動シャッター又は電動ブラインド用チュ
ーブモータである。
【００１０】
請求項１に記載された発明は、前記のように構成されているので、パイプの内部にモー
タ本体部品やギヤユニット、モータユニット等の部品を組み込むのに、パイプを構成する
一方の半割体の内部にこれらの部品を収容して組み込んでから他方の半割体をこれに被せ
、次いで、これら両半割体を連結して一体化することにより、行なうことが可能となる。
【００１１】
この結果、パイプの内部に収容されるこれらの部品の状態を見ながら、これらの部品を
組み立てることができ、これらの部品の組立が格段に容易になる。また、これらの部品の
うちのいずれかの部品を交換する必要が生じたときには、パイプを２つの半割体に分解し
て、交換が必要な部品のみを取り出して行なうことが可能になり、部品交換が格段に容易
になる。
【００１２】
また、その請求項２に記載された発明においては、請求項１記載の発明におけるパイプ
内に収容されるモータ本体が、軸方向に分解可能な複数の部品からなり、これらの部品が
、予め芯出しされて軸方向に連結されて一体化されていることを特徴としている。
【００１３】
これにより、モータ本体を構成する複数のモータ本体部品は、予め芯出しされて軸方向
に連結されて一体化されているので、パイプの内部にモータ本体を組み込むのに、従来の
ように、これらモータ本体部品をパイプ内に圧入して芯出しをして組み立てる必要がなく
、２つの半割体の一体組立体から構成されるパイプの使用を一層促がし、パイプが２つの
半割体の一体組立体から構成されることによる前記のような効果（請求項１記載の発明の
効果）を一層高めることができる。
【発明の効果】
【００１４】
前記のとおり、本願の発明の電動シャッター又は電動ブラインド用チューブモータによ
れば、パイプの内部にモータ本体部品やギヤユニット、モータユニット等の部品を組み込
むのに、パイプを構成する一方の半割体の内部にこれらの部品を収容して組み込んでから
他方の半割体をこれに被せ、次いで、これら両半割体を連結して一体化することにより、
行なうことが可能になる。これにより、パイプの内部に収容されるこれらの部品の状態を
見ながら、これらの部品を組み立てることができ、これらの部品の組立が格段に容易にな
る。また、これらの部品のうちのいずれかの部品を交換する必要が生じたときには、パイ
プを分解して、交換が必要な部品のみを取り出して行なうことが可能になり、部品交換が
格段に容易になる。
【発明を実施するための最良の形態】
【００１５】
電動シャッター又は電動ブラインドの回転筒芯の駆動用に使用されるチューブモータの
外殻体をなすパイプを、２つの半割体の一体組立体から構成する。パイプ内に収容される
モータ本体は、好ましくは、軸方向に分解可能な複数の部品からなり、これらの部品が、
予め芯出しされて軸方向に連結されて一体化されているものとする。
【実施例】
【００１６】
次に、本願の発明の一実施例について説明する。
図１は、本実施例のチューブモータが適用される電動シャッターの概略構成図、図２は
、２つの半割体の一体組立体からなるパイプを分解して、同チューブモータの内部の部品
の組込み状態を見た概略図、図３は、同部品をパイプから取り出して見た同チューブモー
タの分解図、図４は、同パイプの組立方法を示す図、図５は、同パイプを構成する２つの
半割体の連結手段（固着具）の例を示す図である。
【００１７】
本実施例のチューブモータが適用される電動シャッターは、概略、次のように構成され
ている。
図１において、１は電動シャッターであり、シャッター巻付けドラム３に巻き付けられ
るシャッター本体（図示されず）が除去されて、その上方の骨格部分のみが概略図示され
ている。この電動シャッター１のカバーをなす外枠２の左右縦枠２ｌ、２ｒの間には、シ
ャッター巻付けドラム３が、回転自在に支持されている。シャッター巻付けドラム３は、
チューブモータ４により回転駆動され、シャッター本体に対して、回転する筒状の芯体を
なすので、回転筒芯とも呼ばれる。
【００１８】
チューブモータ４は、長尺の円柱体状の外観を呈し、その図１において右端側の一部が
シャッター巻付けドラム３から露出し、残りの部分がシャッター巻付けドラム３内に収容
された状態で、右縦枠２ｒに固定されている。そして、その図１において左端から突出す
る出力軸９は、シャッター巻付けドラム３内にあって、これと一体に連結された回転伝達
部材１０に連結されており、チューブモータ４の回転出力は、この回転伝達部材１０を介
してシャッター巻付けドラム３に伝達される。したがって、チューブモータ４とシャッタ
ー巻付けドラム３とは、互いに相対回転が可能である。
【００１９】
シャッター巻付けドラム３の図１において左端面には、ドラム回転軸１１が突設されて
おり、このドラム回転軸１１は、左縦枠２ｌに設けられた軸受部（図示されず）により軸
受けされて支持されている。また、シャッター巻付けドラム３の図１において右端部には
、詳細には図示されないが、チューブモータ４との間にインターナルギア１２が介設され
ており、シャッター巻付けドラム３は、このインターナルギア１２を介してチューブモー
タ４に対して摺動回転する。
【００２０】
したがって、シャッター巻付けドラム３は、回転伝達部材１０を介してチューブモータ
４の回転出力を受けると、そのドラム回転軸１１が左縦枠２ｌに設けられた軸受部により
軸受けされ、そのドラム回転軸１１と反対側がインターナルギア１２を介してチューブモ
ータ４により支持されながら、回転する。そして、このようにしてシャッター巻付けドラ
ム３が正転、逆転することにより、シャッターが送り出され、また、引き込まれるように
なっている。
【００２１】
チューブモータ４は、その図１において右端部に固着された固定用部品１３が右縦枠２
ｒにねじ止め等の手段により固着されることにより、固定されている。この固定用部品１
３の内部には、リミットスイッチ用部品が収容されており、また、チューブモータ４に電
力を供給する配線１４が、ここから導出されている。
【００２２】
次に、チューブモータ４の詳細構造について説明する。
チューブモータ４は、その外殻体をなす長尺のパイプ５内に、従来と同様、モータ本体
６、減速機をなすギヤユニット７、その他コンデンサやリミットスイッチ用部品等からな
るモータユニット８が収容されて構成されている（図１〜図３参照）。
【００２３】
モータ本体６は、複数の、通常３個の、軸方向に分解可能なモータ本体部品６ａ〜６ｃ
から構成されている。モータ本体部品６ａ、６ｃは、モータ本体６の両側に配置されたブ
ラケット構造体であり、中央部に配置されたモータ本体部品６ｂを構成するステータを両
側から挟み付けて固定するとともに、同じくモータ本体部品６ｂを構成するロータの回転
軸を回転自在に支承している。
【００２４】
これらのモータ本体部品６ａ〜６ｃは、いずれも同径で断面円形状をなし、予め芯出し
されて、ねじを使うことなく、バインダーにより軸方向に相互に連結されて、モータ本体
６として一体に組み立てられている。このモータ本体６は、小型化されており、堅牢で、
構造および組立作業も簡単であり、シャッター巻付けドラム３を内径の小さなものにする
ことができる。このような構造のモータ本体６は、本願出願人の出願になる特開２００２
−１８６２１３号公報に詳しく紹介されている。
【００２５】
なお、本実施例に使用されるモータ本体６は、このような構造のものに限定されず、そ
れぞれのモータ本体部品６ａ〜６ｃが、パイプ５内に収容されて、パイプ５内で、モータ
本体６として一体に組み立てられるタイプのものであっても構わない。
【００２６】
ここで、本実施例のチューブモータ４のパイプ５は、軸方向に分割された２つの半割体
５ａ、５ｂの一体組立体から構成されている。
そして、このパイプ５内にモータ本体６、減速機をなすギヤユニット７、その他コンデ
ンサやリミットスイッチ用部品等からなるモータユニット８を組み込むのには、パイプ５
を２つの半割体５ａ、５ｂに分解した状態で、例えば、一方の半割体５ａ内に図２におい
て左端側からギヤユニット７、モータ本体６、モータユニット８を順次組み込み、所要の
連結、接続作業を行なってする。これらの作業は、パイプ５を２つの半割体５ａ、５ｂに
分解した状態で、部品の状態を見ながら行なえるので、容易である。
【００２７】
特にパイプ５内にモータ本体６を組み込むのには、これを構成するモータ本体部品６ａ
〜６ｃを一方の半割体５ａ内にこの順序で収容し、各本体部品の状態を見ながら、芯（真
直度）出しを行い、所要の連結作業を行なって、モータ本体６として一体に組み立てる。
この場合において、モータ本体６として、前記した、各モータ本体部品６ａ〜６ｃが予め
芯出しされて軸方向に連結されて、モータ本体６として一体化されたものが使用されると
、この作業は不要になる。
【００２８】
以上のようにして、一方の半割体５ａ内に各モータ部品を収容し、組み込む作業が終了
すると、次いで、図４に図示されるように、他方の半割体５ｂを一方の半割体５ａに被せ
、蓋をして、両半割体５ａ、５ｂを固着具１５により連結して、一体に組み立てる。この
ようにして、チューブモータ４が完成される。
【００２９】
両半割体５ａ、５ｂを固着具１５により連結して一体に組み立てる方法としては、色々
あり得る。例えば、図５（ａ）に図示されるように、各半割体５ａ、５ｂの当接部にべろ
１５ａを出して、これらをねじ１５ｂによりねじ止めする方法、図５（ｂ）に図示される
ように、両半割体５ａ、５ｂのつなぎ目に金属板１５ｃを当てて、その両端側を各半割体
５ａ、５ｂにねじ１５ｂによりそれぞれねじ止めする方法、図５（ｃ）に図示されるよう
に、各半割体５ａ、５ｂの当接部同志を重ね合わせて、そこをねじ１５ｂによりねじ止め
する方法等が考えられる。
【００３０】
本実施例のチューブモータ４は、前記のように構成されているので、次のような効果を
奏することができる。
電動シャッター１に使用されるチューブモータ４の外殻体をなすパイプ５が、２つの半
割体５ａ、５ｂの一体組立体から構成されているので、パイプ５の内部にモータ本体部品
６ａ〜６ｃやギヤユニット７、モータユニット８等の部品を組み込むのに、パイプ５を構
成する一方の半割体５ａ又は５ｂの内部にこれらの部品を収容して組み込んでから他方の
半割体５ｂ又は５ａをこれに被せ、次いで、これら両半割体５ａ、５ｂを連結して一体化
することにより、行なうことが可能となる。
【００３１】
この結果、パイプ５の内部に収容されるこれらの部品の状態を見ながら、これらの部品
を組み立てることができ、これらの部品の組立が格段に容易になる。また、これらの部品
のうちのいずれかの部品を交換する必要が生じたときには、パイプ５を２つの半割体５ａ
、５ｂに分解して、交換が必要な部品のみを取り出して行なうことが可能になり、部品交
換が格段に容易になる。
【００３２】
さらに、パイプ５内に収容されるモータ本体６が、軸方向に分解可能な複数の部品６ａ
〜６ｃからなり、これらの部品が、予め芯出しされて軸方向に連結されて一体化されてい
る場合には、パイプ５の内部にモータ本体６を組み込むのに、従来のように、これらモー
タ本体部品６ａ〜６ｃをパイプ５内に圧入して芯出しをして組み立てる必要がなく、２つ
の半割体５ａ、５ｂの一体組立体から構成されるパイプ５の使用を一層促がし、パイプ５
が２つの半割体５ａ、５ｂの一体組立体から構成されることによる前記のような効果を一
層高めることができる。
【００３３】
なお、本願の発明は、以上の実施例に限定されず、その要旨を逸脱しない範囲において
、種々の変形が可能である。
例えば、電動シャッター１に代えて、電動ブラインドを用い、これに前記したチューブ
モータ４が適用されるものとしても、前記と同様の効果を奏することができる。
【図面の簡単な説明】
【００３４】
【図１】本実施例のチューブモータが適用される電動シャッターの概略構成図である。
【図２】２つの半割体の一体組立体からなるパイプを分解して、同チューブモータの内部の部品の組込み状態を見た概略図である。
【図３】同部品をパイプから取り出して見た同チューブモータの分解図である。
【図４】同パイプの組立方法を示す図である。
【図５】同パイプを構成する２つの半割体の連結手段を示す図である。
【図６】従来例を示す図である。
【符号の説明】
【００３５】
１…電動シャッター、２…外枠、２ｌ、２ｒ…左右縦枠、３…シャッター巻付けドラム
、４…チューブモータ、５…パイプ、５ａ、５ｂ…半割体、６…モータ本体、６ａ〜６ｃ
…モータ本体部品、７…ギヤユニット、８…モータユニット、９…出力軸、１０…回転伝
達部材、１１…ドラム回転軸、１２…インターナルギア、１３…固定用部品、１４…配線
、１５…固着具、1 ５ａ…べろ、１５ｂ…ねじ、１５ｃ…金属板。
【図１】
2005328601.tif 000003
【図２】
2005328601.tif 000004
【図３】
2005328601.tif 000005
【図４】
2005328601.tif 000006
【図５】
2005328601.tif 000007
【図６】
2005328601.tif 000008